(57)【特許請求の範囲】
【請求項１】
負荷に電力を供給するレギュレータと、
前記レギュレータに含まれるスイッチング素子を制御する制御部と、
前記レギュレータの出力電流を検出する電流検出部と、
前記電流検出部により検出された電流値が、本電源装置の定格電流値より高い値に設定された第１設定電流値を超えるとき、前記レギュレータの出力電流を制限するよう前記制御部に指示する第１過電流保護部と、
前記電流検出部により検出された電流値の一定期間における平均値が、定格電流値に対応する値に設定された第２設定電流値を超えたとき、前記レギュレータの出力電流を制限するよう前記制御部に指示する第２過電流保護部と、
起動時において、前記電流検出部により検出された電流値が、前記第２設定電流値より低い値に設定された第３設定電流値を超えるとき、前記レギュレータの出力電流を制限するよう前記制御部に指示する第３過電流保護部と、
を備えることを特徴とする過電流保護付き電源装置。
【請求項２】
前記第３過電流保護部は、起動後において前記負荷の電圧が設定電圧値を超えると無効になることを特徴とする請求項１に記載の過電流保護付き電源装置。
【請求項３】
前記第３過電流保護部は、
前記電流検出部により検出された電流値に対応する電圧と、前記第３設定電流値に対応する参照電圧との比較結果を前記制御部に出力するコンパレータと、
前記コンパレータの出力端子と、非有意な基準電位との間に挿入されるスイッチと、
を有し、
前記スイッチは、前記負荷の電圧が前記設定電圧値を超えたときターンオンすることを特徴とする請求項２に記載の過電流保護付き電源装置。
【請求項４】
前記第１過電流保護部および前記第３過電流保護部は、
共有するコンパレータを有し、
前記コンパレータは、
前記負荷の電圧が前記設定電圧値以下のとき、前記電流検出部により検出された電流値に対応する電圧と、前記第３設定電流値に対応する第３参照電圧との比較結果を前記制御部に出力し、前記負荷の電圧が前記設定電圧値を超えるとき、前記電流検出部により検出された電流値に対応する電圧と、前記第１設定電流値に対応する第１参照電圧との比較結果を前記制御部に出力することを特徴とする請求項２に記載の過電流保護付き電源装置。
【請求項５】
前記第３過電流保護部は、起動から設定時間が経過すると無効になることを特徴とする請求項１に記載の過電流保護付き電源装置。
【発明の詳細な説明】
【技術分野】
【０００１】
本発明は、モータ等の負荷に電力を供給する過電流保護付き電源装置に関する。
【背景技術】
【０００２】
モータ負荷は大電力を必要とし、そのピーク電力は他の一般的な負荷に比べて大きくなる。そこで起動時の瞬時パワーを確保するため、モータと並列に大容量のコンデンサを接続することが多い。このコンデンサは起動時に充電され、モータの起動トルクを大きくする作用を担う。
【０００３】
ＤＣモータはパルス状の電流で駆動されることも多い。パルス電流を出力可能な電源装置では一般的に、ピーク電力用の過電流保護と平均電力用の過電流保護の２つが実装される。前者はピーク電流を検出したとき出力を制御するものであり、後者は単位周期における平均電流が定格電流を超えたとき出力を制限するものである。後者の過電流保護は、瞬間的に定格電流を超える電流が流れても単位周期における平均電流が定格電流を超えない場合、発動されない。
【０００４】
特許文献１は、２段階の過電流検出値を設定可能な電源装置を開示する。当該電源装置では、負荷等の短絡に起因して出力電圧が異常となり、且つ定常状態信号が出力されているとき（即ち、起動時ではないとき）、過電流検出値として比較的小さな値を有する第１過電流検出値が設定される。また起動時には過電流検出値として比較的大きな値を有する第２過電流検出値が設定される。また出力電圧が正常であるとき（即ち、出力電圧が一定電圧以上に立ち上がっており、負荷に短絡等の異常が発生していないとき）、第２過電流検出値が設定される。
【先行技術文献】
【特許文献】
【０００５】
【特許文献１】特開２００５−３２３４１３号公報
【発明の概要】
【発明が解決しようとする課題】
【０００６】
上述のように負荷と並列に大容量のコンデンサが接続される場合、起動時に電源装置から当該コンデンサに大電流が流れる。その際、上記ピーク電力用の過電流保護が発動する。その後、平均電力用の過電流保護が発動し、平均電力用の過電流保護の制限を受けながら電圧が立ち上がる。いずれの状態も定格電力以上を出力している状態であるため、熱ストレス等の負担が大きくなる。
【０００７】
本発明はこうした状況に鑑みてなされたものであり、その目的は、容量が大きい負荷に電力を供給する電源装置において起動時のストレスを軽減する技術を提供することにある。
【課題を解決するための手段】
【０００８】
上記課題を解決するために、本発明のある態様の過電流保護付き電源装置は、負荷に電力を供給するレギュレータと、前記レギュレータに含まれるスイッチング素子を制御する制御部と、前記レギュレータの出力電流を検出する電流検出部と、前記電流検出部により検出された電流値が、本電源装置の定格電流値より高い値に設定された第１設定電流値を超えるとき、前記レギュレータの出力電流を制限するよう前記制御部に指示する第１過電流保護部と、前記電流検出部により検出された電流値の一定期間における平均値が、定格電流値に対応する値に設定された第２設定電流値を超えたとき、前記レギュレータの出力電流を制限するよう前記制御部に指示する第２過電流保護部と、起動時において、前記電流検出部により検出された電流値が、前記第２設定電流値より低い値に設定された第３設定電流値を超えるとき、前記レギュレータの出力電流を制限するよう前記制御部に指示する第３過電流保護部と、を備える。
【発明の効果】
【０００９】
本発明によれば、容量が大きい負荷に電力を供給する電源装置において起動時のストレスを軽減できる。
【図面の簡単な説明】
【００１０】
【図１】本発明の実施例１に係る電源装置を説明するための図である。
【図２】比較例に係る電源装置を示す図である。
【図３】電源装置の起動時の動作を説明するためのタイミングチャートである。
【図４】本発明の実施例２に係る電源装置を説明するための図である。
【図５】本発明の実施例３に係る電源装置を説明するための図である。
【発明を実施するための形態】
【００１１】
図１は、本発明の実施例１に係る電源装置１を説明するための図である。電源装置１は負荷２に電力を供給するＤＣ−ＤＣコンバータである。以下、本明細書では負荷２として、リニアモータ等のＤＣモータを想定する。一般にＤＣモータでは起動トルクを確保するため、ＤＣモータと並列に大容量コンデンサＣ１０が外付けされる。起動時に大容量コンデンサＣ１０に充電することにより、起動時の瞬時パワーが確保される。
【００１２】
電源装置１はスイッチングレギュレータの基本構成として、スイッチング素子Ｍ１、トランスＴ１、第１ダイオードＤ１、第２ダイオードＤ２、インダクタＬ１及び第１コンデンサＣ１を含む。トランスＴ１の一次巻線に直流の入力電圧Ｖｉｎが印加される。スイッチング素子Ｍ１は、当該入力電圧Ｖｉｎの入力源とトランスＴ１の一次巻線との間に挿入され、両者の間を導通／遮断する。図１ではスイッチング素子Ｍ１としてＮチャンネルＭＯＳＦＥＴを使用する例を描いているが、ＩＧＢＴ等の他のスイッチング素子を用いてもよい。トランスＴ１の二次巻線の出力電圧は、第１ダイオードＤ１及び第２ダイオードＤ２で構成される整流回路で整流され、インダクタＬ１及び第１コンデンサＣ１で構成される平滑回路により平滑化される。
【００１３】
図１ではスイッチングレギュレータの一例として、フォワード型ＤＣ−ＤＣコンバータを描いているが一例であり、他のスイッチングレギュレータを使用してもよい。例えばフライバック型ＤＣ−ＤＣコンバータ、プッシュプル型ＤＣ−ＤＣコンバータ、ブリッジ型ＤＣ−ＤＣコンバータ等を使用してもよい。またトランスを用いない非絶縁型のスイッチングレギュレータを使用してもよい。
【００１４】
電圧検出部１１は、スイッチングレギュレータの出力電圧を検出する。電圧検出部１１は例えばエラーアンプで構成できる。電圧検出部１１は検出した出力電圧を制御部１３に出力する。電流検出部１２はスイッチングレギュレータの出力電流を検出する。電流検出部１２は例えば、シャント抵抗とエラーアンプにより構成できる。電流検出部１２はスイッチングレギュレータの出力電流に対応する電圧を出力する。
【００１５】
制御部１３は、電圧検出部１１で検出されたスイッチングレギュレータの出力電圧に応じて、スイッチング素子Ｍ１の制御端子（ＭＯＳＦＥＴの場合、ゲート端子）に入力する駆動信号のデューティ比を適応的に変化させる。これによりスイッチングレギュレータの出力電圧が一定に保たれるようフィードバック制御がかかる。具体的にはスイッチングレギュレータの出力電圧が目標電圧より低い場合はスイッチング素子Ｍ１のデューティ比を上げ、反対にスイッチングレギュレータの出力電圧が目標電圧より高い場合はスイッチング素子Ｍ１のデューティ比を下げる。
【００１６】
実施例１では３種類の過電流保護回路、即ち、ピーク用の過電流保護回路、平均用の過電流保護回路および起動時用の過電流保護回路を備える。以下の説明では、スイッチングレギュレータの定格電流を１０Ａとし、定格ピーク電流を２８Ａとする例を想定する。モータを駆動するために瞬時大電力を使用する場合があり、当該スイッチングレギュレータは短時間のピーク電流に耐えられる仕様になっている。また以下の説明では、ピーク用の過電流保護回路が発動する第１過電流設定値として３０Ａ、平均用の過電流保護回路が発動する第２過電流設定値として１１Ａ、起動時用の過電流保護回路が発動する第３過電流設定値として６Ａとする例を想定する。
【００１７】
図１において、ピーク用の過電流保護回路は第１コンパレータＣＰ１により実現される。第１コンパレータＣＰ１はオペアンプで構成され、その非反転入力端子に電流検出部１２の出力電圧が入力され、反転入力端子に第１過電流設定値に対応する第１参照電圧Ｖｒ１が入力される。第１コンパレータＣＰ１は、電流検出部１２から入力されるスイッチングレギュレータの出力電流に対応する電圧が第１参照電圧Ｖｒ１を超えるときハイレベルを出力し、超えないときローレベルを出力する。第１コンパレータＣＰ１の出力電圧は第３ダイオードＤ３を介して制御部１３に出力される。
【００１８】
制御部１３は第１コンパレータＣＰ１の出力電圧がハイレベルのとき、スイッチング素子Ｍ１の制御端子に入力する駆動信号のデューティ比を下げてスイッチングレギュレータの出力電流を制限する。このようにピーク用の過電流保護回路は、スイッチングレギュレータの出力電流値が第１過電流設定値を超えるとき、スイッチングレギュレータの出力電流を制限するよう制御部１３に指示する。
【００１９】
平均用の過電流保護回路は第２コンパレータＣＰ２及びローパスフィルタにより実現される。第２コンパレータＣＰ２はオペアンプで構成され、その非反転入力端子に電流検出部１２の出力電圧が入力され、反転入力端子に第２過電流設定値に対応する第２参照電圧Ｖｒ２が入力される。第２コンパレータＣＰ２は、電流検出部１２から入力されるスイッチングレギュレータの出力電流に対応する電圧が第２参照電圧Ｖｒ２を超えたときハイレベルを出力し、超えないときローレベルを出力する。
【００２０】
第２コンパレータＣＰ２の出力端子に、第１抵抗Ｒ１及び第２コンデンサＣ２で構成されるローパスフィルタが接続される。ローパスフィルタは第２コンパレータＣＰ２の出力電圧を積分する。ローパスフィルタにより積分された第２コンパレータＣＰ２の出力電圧は第４ダイオードＤ４を介して制御部１３に出力される。
【００２１】
電源装置１がパルス電流でＤＣモータを駆動する場合、単位周期あたりの平均電流が第２過電流設定値以下であれば、パルス電流のオン期間の電流が第２過電流設定値を超えていても許容される。この設計条件を、ローパスフィルタの時定数と第２参照電圧Ｖｒ２を最適に設定することにより近似する。なおパルス電流のオン期間の電流が第１過電流設定値を超えている場合は、ピーク用の過電流保護回路により制限される。
【００２２】
制御部１３は、ローパスフィルタ特性が付加された第１コンパレータＣＰ１の出力電圧がハイレベルのとき、スイッチング素子Ｍ１の制御端子に入力する駆動信号のデューティ比を下げてスイッチングレギュレータの出力電流を制限する。このように平均用の過電流保護回路は、スイッチングレギュレータの出力電流値の一定期間における平均値が第２過電流設定値を超えたとき、スイッチングレギュレータの出力電流を制限するよう制御部１３に指示する。
【００２３】
起動時用の過電流保護回路は第３コンパレータＣＰ３、第２抵抗Ｒ２、トランジスタＴｒ１及び第４コンパレータＣＰ４により実現される。第３コンパレータＣＰ３はオペアンプで構成され、その非反転入力端子に電流検出部１２の出力電圧が入力され、反転入力端子に第３過電流設定値に対応する第３参照電圧Ｖｒ３が入力される。第３コンパレータＣＰ３は、電流検出部１２から入力されるスイッチングレギュレータの出力電流に対応する電圧が第３参照電圧Ｖｒ３を超えたときハイレベルを出力し、超えないときローレベルを出力する。
【００２４】
第３コンパレータＣＰ３の出力端子は第２抵抗Ｒ２を介して第１ノードＮ１に接続される。第１ノードＮ１と、非有意な基準電位（図１ではグラウンド電位）との間にトランジスタＴｒ１が挿入される。なおトランジスタＴｒ１はスイッチの一例であり、他の半導体スイッチを用いてもよいし、リレーを用いてもよい。
【００２５】
第４コンパレータＣＰ４はオペアンプで構成され、その非反転入力端子に電圧検出部１１の出力電圧が入力され、反転入力端子に低電圧設定値に対応する第４参照電圧Ｖｒ４が入力される。低電圧設定値は、負荷２の設定駆動電圧の７５〜９５％程度の電圧に設定される。第４コンパレータＣＰ４の出力端子はトランジスタＴｒ１のベース端子に接続される。
【００２６】
第４コンパレータＣＰ４は、負荷２に供給されているスイッチングレギュレータの出力電圧が第４参照電圧Ｖｒ４を超えたときハイレベルを出力し、超えないときローレベルを出力する。第４コンパレータＣＰ４の出力電圧がローレベルの間、トランジスタＴｒ１はオフ状態であり、第１ノードＮ１とグラウンドは切り離される。第４コンパレータＣＰ４の出力電圧がハイレベルに遷移するとトランジスタＴｒ１はターンオンし、第１ノードＮ１の電位をグラウンド電位に固定する。
【００２７】
このようにトランジスタＴｒ１及び第４コンパレータＣＰ４はＵＶＡ(Under Voltage Alarm)として機能する。即ち負荷電圧が低電圧設定値に到達するまで、第３コンパレータＣＰ３の出力電圧を有効化し、低電圧設定値を超えると第３コンパレータＣＰ３の出力電圧をグラウンド電位にラッチして無効化する。
【００２８】
スイッチングレギュレータの出力電圧が低電圧設定値以下の場合、第１コンパレータＣＰ１の出力電圧が第５ダイオードＤ５を介してそのまま制御部１３に出力される。スイッチングレギュレータの出力電圧が低電圧設定値を超える場合、常にローレベルが制御部１３に出力される。このように起動時用の過電流保護回路は起動時において、スイッチングレギュレータの出力電流値が第３過電流設定値を超えたとき、スイッチングレギュレータの出力電流を制限するよう制御部１３に指示する。起動後は起動時用の過電流保護回路はラッチ停止される。
【００２９】
図２は、比較例に係る電源装置１を示す図である。図２に示す比較例に係る電源装置１は、図１に示した実施例１に係る電源装置１と比較して、起動時用の過電流保護回路を備えない構成である。具体的には第３コンパレータＣＰ３、第２抵抗Ｒ２、トランジスタＴｒ１、第４コンパレータＣＰ４及び第５ダイオードＤ５を備えない構成である。
【００３０】
図３は、電源装置１の起動時の動作を説明するためのタイミングチャートである。図３（ａ）は図２に示した比較例に係る電源装置１の起動時における出力電流Ｉ及び出力電圧Ｖの推移を示すタイミングチャートである。図３（ｂ）は図１に示した実施例１に係る電源装置１の起動時における出力電流Ｉ及び出力電圧Ｖの推移を示すタイミングチャートである。
【００３１】
図３（ａ）において、電源装置１が起動すると電源装置１の出力電流Ｉで大容量コンデンサＣ１０の充電が開始される。出力電流Ｉが第１過電流設定値Ｉ１ｐに到達すると、ピーク用の過電流保護回路により出力電流Ｉが第１過電流設定値Ｉ１ｐ以下に制限されながら出力電圧Ｖが上昇する。ピーク用の過電流保護回路は時間規定（例えば１００ｍｓ）の範囲内で動作する。その時間規定を超えると平均用の過電流保護回路により出力電流Ｉが第２過電流設定値Ｉ２ａ以下に制限されながら出力電圧Ｖが上昇する。
【００３２】
大容量コンデンサＣ１０の充電が終了し、出力電圧Ｖが負荷２の設定駆動電圧Ｖｄに到達すると出力電流Ｉが徐々に低下する。この起動シーケンスでは、大容量コンデンサＣ１０の容量が大きくなるほど、起動時に過電流動作する時間が長くなり電源装置１の負担が大きくなる。例えば大容量コンデンサＣ１０への充電途中で温度アラーム（不図示）が発生し、電源装置１の動作が停止してしまう場合も発生し得る。
【００３３】
これに対して実施例１では、起動時だけ機能する起動時用の過電流保護回路が追加されている。起動時用の過電流保護回路は起動時において、定格電流値より低い電流値で大容量コンデンサＣ１０を定電流充電（ＣＣ充電）する。
【００３４】
図３（ｂ）において、電源装置１が起動すると電源装置１の出力電流Ｉで大容量コンデンサＣ１０の充電が開始される。出力電流Ｉが第３過電流設定値Ｉ３ｓに到達すると、起動時用の過電流保護回路により第３過電流設定値Ｉ１ｓで大容量コンデンサＣ１０が定電流充電される。出力電圧Ｖが低電圧設定値Ｖｕに到達すると、起動時用の過電流保護回路がラッチ停止する。起動時用の過電流保護回路がラッチ停止すると、平均用の過電流保護回路により出力電流Ｉが第２過電流設定値Ｉ２ａ以下に制限されながら出力電圧Ｖが上昇する。
【００３５】
大容量コンデンサＣ１０の充電が終了し、出力電圧Ｖが負荷２の設定駆動電圧Ｖｄに到達すると出力電流Ｉが徐々に低下する。この起動シーケンスでは、大容量コンデンサＣ１０の７５〜９５％の容量が、定格電流より低い第３過電流設定値Ｉ１ｓで定電流充電される。従って図３（ａ）と比較して充電時間が若干長くなるが、電源装置１の負担が大幅に軽減される。
【００３６】
以上説明したように実施例１によれば、ピーク用の過電流保護回路および平均用の過電流保護回路に加えて、起動時用の過電流保護回路を設けることにより、電源装置１における起動時のストレスを軽減できる。従って温度アラームにより起動途中で動作が停止してしまうことも回避できる。
【００３７】
大電力が必要な負荷２の場合、複数の電源装置１を並列接続して並列運転することがある。複数の電源装置１の内、故障などにより運転台数が減った場合、負荷２に並列接続される大容量コンデンサＣ１０を少ない数の電源装置１で充電することになる。この場合、出力電流が低下しているため大容量コンデンサＣ１０の充電時間が長くなる。比較例に係る電源装置１を使用している場合、定格電流を超える電流が流れる時間が長くなり、稼働している電源装置１へのストレスが大きくなる。これに対して実施例１に係る電源装置１を使用している場合、運転台数が減った場合でも充電時間の延長で対応するため、稼働している電源装置１へのストレス増加を抑制できる。
【００３８】
図４は、本発明の実施例２に係る電源装置１を説明するための図である。実施例２に係る電源装置１は、１つのコンパレータをピーク用の過電流保護回路と起動時用の過電流保護回路で共有する構成である。図４に示すように第１コンパレータＣＰ１がピーク用の過電流保護回路と起動時用の過電流保護回路で共有される。図４に示す電源装置１では、図１に示した第３コンパレータＣＰ３、第２抵抗Ｒ２及び第５ダイオードＤ５は省略される。
【００３９】
第１コンパレータＣＰ１の反転入力端子には、第２ノードＮ２の電圧が入力される。第２ノードＮ２の電圧は、第１参照電圧Ｖｒ１より高い参照電圧Ｖｒ０を、第３抵抗Ｒ３と第４抵抗Ｒ４で分圧して生成される。第３抵抗Ｒ３と第４抵抗Ｒ４による分圧電圧は第１参照電圧Ｖｒ１に対応する。実施例２ではトランジスタＴｒ１は、第１ノードＮ１ではなく第２ノードＮ２と、グラウンドとの間に挿入される。第２ノードＮ２とトランジスタＴｒ１との間には第５抵抗Ｒ５が挿入される。
【００４０】
実施例２では第４コンパレータＣＰ４の反転入力端子に電圧検出部１１の出力電圧が入力され、非反転入力端子に低電圧設定値に対応する第４参照電圧Ｖｒ４が入力される。第４コンパレータＣＰ４は、負荷２に供給されているスイッチングレギュレータの出力電圧が第４参照電圧Ｖｒ４を超えたときローレベルを出力し、超えないときハイレベルを出力する。第４コンパレータＣＰ４の出力電圧がハイレベルの間、トランジスタＴｒ１はオン状態であり、第２ノードＮ２とグラウンドが導通しており、第５抵抗Ｒ５は有効である。第３抵抗Ｒ３と、第４抵抗Ｒ４及び第５抵抗Ｒ５による分圧電圧は第３参照電圧Ｖｒ３に対応する。従ってスイッチングレギュレータの出力電圧が低電圧設定値以下の状態では、第１コンパレータＣＰ１の反転入力端子に第３参照電圧Ｖｒ３が入力される。即ち第１コンパレータＣＰ１は起動時用の過電流保護回路として機能する。
【００４１】
第４コンパレータＣＰ４の出力電圧がローレベルに遷移するとトランジスタＴｒ１はターンオフし、第２ノードＮ２とグラウンドは切り離され、第５抵抗Ｒ５は無効になる。これにより第２ノードＮ２の電位が上昇し、第１コンパレータＣＰ１の反転入力端子に第１参照電圧Ｖｒ１が入力されるようになる。このようにスイッチングレギュレータの出力電圧が低電圧設定値を超えている状態では、第１コンパレータＣＰ１の反転入力端子に第１参照電圧Ｖｒ１が入力される。即ち第１コンパレータＣＰ１はピーク用の過電流保護回路として機能する。
【００４２】
第１コンパレータＣＰ１は、スイッチングレギュレータの出力電圧が低電圧設定値以下のとき、スイッチングレギュレータの出力電流値に対応する電圧と第３参照電圧Ｖｒ３との比較結果を制御部１３に出力する。スイッチングレギュレータの出力電圧が低電圧設定値を超えるとき、スイッチングレギュレータの出力電流値に対応する電圧と第１参照電圧Ｖｒ１との比較結果を制御部１３に出力する。
【００４３】
以上説明したように実施例２によれば、実施例１と同様の効果を奏する。実施例１と比較して過電流保護に使用するオペアンプの数を削減できる。
【００４４】
図５は、本発明の実施例３に係る電源装置１を説明するための図である。実施例３に係る電源装置１では起動用の過電流保護回路は、負荷電圧が低電圧設定値を超えたときではなく、起動から設定時間が経過したとき無効になる。図５に示す電源装置１では、図１に示した第４コンパレータＣＰ４の代わりにタイマ１４が設けられる。タイマ１４は、起動信号が入力されてから設定時間が経過するとトランジスタＴｒ１をターンオンする。設定時間は大容量コンデンサＣ１０の充電時間に対応した時間に設定される。
【００４５】
以上説明したように実施例３によれば、実施例１、２と同様の効果を奏する。実施例３は、使用する大容量コンデンサＣ１０の容量が固定の場合に有効である。一方、実施例１、２は、時間ではなく電圧をトリガとするため大容量コンデンサＣ１０の容量に関係なく起動時の過電流保護が有効に機能する。従って汎用性の高い電源装置１を構成できる。
【００４６】
以上、本発明を実施例１−３をもとに説明した。これらの実施例は例示であり、それらの各構成要素や各処理プロセスの組合せにいろいろな変形例が可能なこと、またそうした変形例も本発明の範囲にあることは当業者に理解されるところである。
【００４７】
上述の実施例１−３では、第１過電流設定値（３０Ａ）を定格ピーク電流値（２８Ａ）の約１．０７倍に設定する例を挙げた。この点、第１過電流設定値は定格ピーク電流値の近傍の値であればよく定格ピーク電流値の±１０％程度の範囲内に設定されればよい。また上述の実施例１−３では、第２過電流設定値（１１Ａ）を定格電流値（１０Ａ）の１．１倍に設定する例を挙げた。この点、第２過電流設定値は定格電流値の近傍の値であればよく定格電流値の±２０％程度の範囲内に設定されればよい。
【００４８】
また上述の説明では、３段階の過電流保護をスイッチングレギュレータに適用する例を説明したが、リニアレギュレータにも適用可能である。
【符号の説明】
【００４９】
１  電源装置、  ２  負荷、  Ｍ１  スイッチング素子、  Ｔ１  トランス、  Ｌ１  インダクタ、  Ｃ１  第１コンデンサ、  Ｃ２  第２コンデンサ、  Ｃ１０  大容量コンデンサ、  ＣＰ１  第１コンパレータ、  ＣＰ２  第２コンパレータ、  ＣＰ３  第３コンパレータ、  ＣＰ４  第４コンパレータ、  Ｄ１  第１ダイオード、  Ｄ２  第２ダイオード、  Ｄ３  第３ダイオード、  Ｄ４  第４ダイオード、  Ｄ５  第５ダイオード、  Ｒ１  第１抵抗、  Ｒ２  第２抵抗、  Ｒ３  第３抵抗、  Ｒ４  第４抵抗、  Ｒ５  第５抵抗、  Ｔｒ１  トランジスタ、  １１  電圧検出部、  １２  電流検出部、  １３  制御部、  １４  タイマ。
【図１】
0006326002.tif 000002
【図２】
0006326002.tif 000003
【図３】
0006326002.tif 000004
【図４】
0006326002.tif 000005
【図５】
0006326002.tif 000006